(57)【要約】【課題】バリアフリー対応型サッシ、グレーチング溝及びバルコニー床における排水機構を簡易に構成するバリアフリー対応型サッシの排水構造を提供する。【解決手段】本発明のバリアフリー対応型サッシの排水構造１は、室内６、バルコニー床２及びサッシ７のレール位置が室内面とバルコニー床面とに一致しているバリアフリー対応型サッシから構成されるバリアフリー対応型サッシの排水構造において、レール受けの中央位置７−２に水抜き孔を設けたバリアフリー対応型サッシ７と、サッシの水抜き孔に通じる通水孔を備えて成る長さがサッシレール受けの長さより短いグレーチング溝８及びグレーチング溝をバルコニー手摺の側溝に結合する一本のドレーン孔１０で構成している。【選択図】  図１
2005042324.tif 000002
【特許請求の範囲】
【請求項１】
室内、サッシの排水構造及びサッシのレール位置が室内面とサッシの排水構造面とに一致しているバリアフリー対応型サッシから構成されるバリアフリー対応型サッシの排水構造であって、レール受けの中央位置に水抜き孔を設けたバリアフリー対応型サッシ、該サッシの水抜き孔に通じる通水孔を備えて成るグレーチング溝及び該グレーチング溝をバルコニー手摺の側溝に結合するドレーン孔で構成することを特徴とするバリアフリー対応型サッシの排水構造。
【請求項２】
グレーチング溝が、溝の長さをサッシレール受けの長さより短く構成することを特徴とする請求項１に記載のサッシの排水構造。
【発明の詳細な説明】
【０００１】
【発明の属する技術分野】
本発明はバリアフリー対応型サッシの排水構造に関し、特に、バリアフリー対応型サッシ、グレーチング溝及びサッシの排水構造における排水機構を簡易に構成するバリアフリー対応型サッシの排水構造に関する。
【０００２】
【従来の技術】
近年、車椅子や移動ベッドを利用する高齢者、及び身障者の対策として、出入口に取付けるサッシ下枠材のレール高さを同等に形成すると共に、室内床面と下枠材の室外側に設けるアプローチを同等に形成し、車椅子等の室内外通過を容易にする工夫をしたり、サッシ下枠材とアプローチの間に排水樋を設けたりするものが提案されている。（例えば特許文献１、２を参照）
【０００３】
さらに、上記提案においてもサッシ下枠材のレールに段差があると、高齢者や身障者が車椅子等を利用して出入りすることが著しく困難になると共に、内外レール間に車椅子の車輪が落ち込んでしまい、介助者により引き上げてもらわなければならない等の不都合があった。そこで、出入口の下枠材と、その室外側に設ける集水部の段差が少なくて、しかも出入口より集水部を介して排水する排水装置も提案されている。
【０００４】
本提案による排水装置２０は、図３に示すように、サッシ下枠材２１のレール高さと、その室外側に設ける集水部２４の高さとを、室内床面２２の高さと略同等にし、集水部２４をピット底部２３に配設する排水枡２５と、その上に載置する目皿２６から構成すると共に、下枠材２１の下部に排水樋２７を設け、これに集水部２４の目皿２６より下方において開口する排水口２８と、排水口２８を室外側より開閉する排水弁２９を設けており、下枠材２１に流入する水を排水樋２７と排水口２８を介して集水部２４に導入して、集水部２４の目皿２６より流入する水と共に、集水部２４の排水穴３０より排水管３１に排水している。
【０００５】
しかして、本提案はサッシ下枠材やその下部に設ける排水樋及び集水部等の構造が複雑で嵩高になることから、施工に多大な手間と労力を要して施工コストが嵩張ることになっており、これらを薄くて簡素構造にする改善が求められていた。
【０００６】
そこで、排水装置をコストダウンするために、サッシの排水構造の防水モルタルを嵩上げすることでサッシの排水構造面を室内及びサッシのレール位置と同レベルにして、バリアフリーにする提案もなされている。
【０００７】
しかるに、本方式では、室内とバルコニーとの段差が無くなるために外部からの雨水が室内に侵入し易くなり、これを防止するためにサッシの外側にサッシの全長に亘って集水用の溝を設けることが必須になっているために、集水溝をサッシの全長に亘たって設けると共に集水溝の全域を覆うために強度のある鋼製グレーチングと複数本のドレーン孔が必要になっており、その施工には多大な手間と労力を要し、依然として高い施工コストを要していた。
【０００８】
【特許文献１】
実公平７−３０８５６号公報（実施例の記載、図面  ）
【特許文献２】
実開平７−２９２８５号公報（段落番号「０００７」、「００１４」〜「００１６」、図１、２  ）
【特許文献３】
特開平９−２４２４４２号公報（識別番号「０００８」〜「０００９」、「００１１」末行、図１〜４）
【０００９】
【発明が解決しようとする課題】
本発明は、以上の現状に鑑みてバリアフリー対応型サッシの排水構造についての問題点を解決するための提案をするものであり、バリアフリー対応型サッシ、グレーチング溝及びサッシの排水構造における排水機構を簡易に構成するバリアフリー対応型サッシの排水構造の提供を目的にしている。
【００１０】
【課題を解決するための手段】
本発明によるバリアフリー対応型サッシの排水構造は、室内、サッシの排水構造及びサッシのレール位置が室内面とサッシの排水構造面とに一致しているバリアフリー対応型サッシから構成されるバリアフリー対応型サッシの排水構造において、レール受けの中央位置に水抜き孔を設けたバリアフリー対応型サッシと、サッシの水抜き孔に通じる通水孔を備えて成る長さがサッシレール受けの長さより短いグレーチング溝及びグレーチング溝をバルコニー手摺の側溝に結合するドレーン孔で構成しており、バリアフリー対応型サッシ、グレーチング溝及びサッシの排水構造における排水機構を簡易に構成することで、施工の手間と労力を省力化し、施工コストを低減している。
【００１１】
【発明の実施の形態】
本発明によるバリアフリー対応型サッシの排水構造は、レール受けの中央位置に水抜き孔を設けた長けの低いバリアフリー対応型サッシとこのサッシの水抜き孔に通じる通水孔を備えて成り長さがサッシレール受けの長さより短いグレーチング溝及びグレーチング溝をバルコニー手摺の側溝に結合するドレーン孔から構成している。
以下に、本発明によるバリアフリー対応型サッシの排水構造の実施の形態を図面に基づいて詳細に説明する。
【００１２】
図１は、本発明のバリアフリー対応型サッシの排水構造の実施形態を示す平面図であり、図２は図１を（２）−（２）矢視した断面図である。
【００１３】
バルコニー１は、図１の平面図に示すように躯体コンクリートの上に嵩上げした防水モルタルで床面２を形成しており、その外側端には手摺３が構成されている。又、手摺３の立ち上がり部分４には、側溝５が配置されており、他方の室内６側には長けの低いバリアフリー対応型サッシ７が配置されており、サッシ７に結合されて配置されるグレーチング溝８は、溝の長さをサッシ７のレール受けの長さより大幅に短い約２０ｃｍ角程度に構成し、サッシ７の中央位置に配置されている。
【００１４】
サッシ７は、レール受け７−１の中央位置７−２に後述する水抜き孔７−３を設けており、グレーチング溝８は、グレーチング９で蓋をされているために見えないが、その側面にはサッシ７の水抜き孔７−３から流れてくる雨水を受けるように通じる通水孔８−２を形成している。
【００１５】
尚、その際に、通水孔８−２をグレーチング９の側面に設けて、サッシ７の水抜き孔７−３に直接連通するようにしてもよい。
【００１６】
さらに、グレーチング溝８は、底部に一本のドレーン孔１０が結合されており、サッシ７からの雨水をバルコニー手摺３の側溝５に排水している。
【００１７】
図２の断面図は、上述した床面２と側溝５、サッシ７、グレーチング溝８及びドレーン孔１０の相互関係をさらに明確にしている。
即ち、本実施の形態では、床面２を、バルコニー１の躯体コンクリート１１の上に塗膜防水１２を介しながら防水モルタル１３を嵩上げ敷設することで構成しており、その底部には半割にした塩ビパイプ１４で形成したドレーン孔１０を設置している。室内６と同レベルのバリアフリー関係に設置されているサッシ７は、レール受け７−１を支持している下枠材７−４を樹脂モルタルでシーリング１５されながら、室内６と防水モルタル１３との間に配置されており、サッシ７と防水モルタル１３とを同レベルに設置することで、バルコニー１と室内６との間もバリアフリー関係を確立している。
【００１８】
サッシ７のレール受け７−１は、一般的に複数のレール７−５間を両端の切り欠きもしくは各レール７−５の底部に形成されている排水溝を通じて、外部から吹き込まれる雨水を水抜き孔７−３に集めており、水抜き孔７−３からグレーチング溝８の側面に形成されている通水孔８−２にこれらの雨水を流水させている。
【００１９】
プラスチック製のグレーチング９で蓋をされているグレーチング溝８は、４方をアルミ製のアングル枠８−１で構成されてサッシ７にビス止めされており、その底部８−３を開放しながら前述したドレーン孔１０に結合することで、サッシ７から受けた雨水をバルコニー手摺４の側溝５に排水している。
【００２０】
以上のように、本発明によるバリアフリー対応型サッシの排水構造は、上記実施の形態のように構成されているので、サッシ下枠材の下部に排水樋及び集水部等が不要となり、サッシ下枠材の下部の嵩高が低くなるので、バリアフリー化のためにバルコニーの床面を室内及びサッシのレール位置と同レベルに嵩上げする防水モルタルの厚さを薄くすることができるのでコストダウンを図れる。
【００２１】
さらに、背丈の低いサッシ下枠材から成るバリアフリー対応型サッシを用いて、グレーチング溝及びサッシの排水構造における排水機構を簡易に構成することで、施工の手間と労力を省力化することで、施工コストを低減している。
【００２２】
以上、本発明を実施の形態に基づいて詳細に説明してきたが、本発明のバリアフリー対応型サッシの排水構造は、上記実施の形態に何ら限定されるものでなく、バリアフリー対応型サッシ、グレーチング溝及びグレーチング等の形状や材質に関して、本発明の趣旨を逸脱しない範囲において種々の変更が可能であることは当然のことである。
【００２３】
【発明の効果】
本発明によるバリアフリー対応型サッシの排水構造は、レール受けの中央位置に水抜き孔を設けたバリアフリー対応型サッシと、サッシの水抜き孔に通じる通水孔を備えて成る長さがサッシレール受けの長さより短いグレーチング溝及びグレーチング溝をバルコニー手摺の側溝に結合するドレーン孔で構成しているので、排水機構を以下のような簡易な構成によって、施工の手間と労力を省力化することで、施工コストを低減できる効果を奏している。
【００２４】
▲１▼  バリアフリー対応型サッシは、レール受けの中央に水抜き孔を設けるのみ。
▲２▼  グレーチング溝は、プラスチック製のグレーチングで覆われた短辺角に構  成。
▲３▼  サッシの排水構造は、低い嵩上げの防水モルタル。
【図面の簡単な説明】
【図１】本発明によるバリアフリー対応型サッシの排水構造の実施の形態を示す平面図
【図２】本発明のバリアフリー対応型サッシの排水構造を矢視した断面図
【図３】従来のバリアフリー対応型サッシの排水構造の断面図
【符号の説明】
１  バルコニー、  ２  床面、  ３  手摺、  ４  立ち上がり部分、
５  側溝、  ６  室内、  ７  バリアフリー対応型サッシ、
７−１  レール受け、  ７−２  中央位置、  ７−３  水抜き孔、
７−４  下枠材、  ８  グレーチング溝、  ８−１  アングル枠、
８−２  通水孔、  ８−３  底部、  ９  グレーチング、
１０  ドレーン孔、  １１  躯体コンクリート、  １２  塗膜防水、
１３  防水モルタル、  １４  塩ビパイプ、  １５  シーリング、
【図１】
2005042324.tif 000003
【図２】
2005042324.tif 000004
【図３】
2005042324.tif 000005